(57)【特許請求の範囲】
【請求項１】
複数の電気導体が誘電体絶縁中間層の両側面にそれぞれ積層され、この中間層の両側面上の複数の導体は互いにかつ該中間層の対向する側縁に平行して伸びる互いに間隔をおいた複数の端子部を有し、これら端子部は上記中間層を介して対向して合わさり、該中間層の先端縁部分は合わさった導体の端子部の端部を越えて伸展し、上記中間層の先端縁部分の対向側面にそれぞれつけられて該中間層の両側面の端子部の端部の露出した端縁と協働して合わさってこれを覆う２個の誘電体絶縁バリア体を備えてなり、さらに上記絶縁バリア体のそれぞれは長い端縁を有し、この端縁には上記絶縁中間層の一側面上の端子部の端部と同数でかつこれに合った間隔を置いた複数の窪みが設けられ、上記中間層の両側面の端子部の端部は上記バリア体の窪み中に合致係合するようにしてなることを特徴とする複数接点の端子部を有する電気バスバー。
【発明の詳細な説明】
【０００１】
【発明の属する技術分野】
本発明は、例えばスプリット・クラウン・バンド型（split crown band type）の如き電源あるいは信号コネクターへつながれて用いられる積層バスバー、更に詳細にはそのオス端子部の一部が新規な絶縁バリア体（insulation barrier）で覆われて、端子部がコネクター内で作動するときにバスの導体の望ましくないショートが防止され、かつ協働するコネクターと正しく合わされるように改良されたバスバーを提供するものである。
【０００２】
【従来の技術】
電気バスバーにおいて隣接する導体片またはバスのバーの間に細長い絶縁片を用い、バーをある回路から他回路へ解離自在に連結するための端子部を該導体片の一部を加工して形成することは、日常的なことである。上記したスプリット・クラウン・バンド型のコネクターに対して、このようなバスバーを使うときの大きな問題点は、バー中の負のバスを対応する正のバスから確実に絶縁することの難しさであった。これら２つのバスの対向する表面の間に中間絶縁層が置かれ、通常は、２つのバスはこの中間絶縁層で互いに隔離されている。
【０００３】
【発明が解決しようとする課題】
ところが、これら２つのバスの合わさった正と負の端部を電源につながる一つのオス端子部にすると、即ち、例えば、この様なオス端子部が露出した外表面を有し、これがクラウン・バンド型のメス端子あるいはコネクター中に着脱自在に挿入されると、大きな問題が生じることになる。このような場合、かかるオス端子部がメス形コネクターへ着脱されると、その時に、正と負のバス導体の対向面の間におかれた絶縁体が、必要な絶縁を両者間に与えないことが屡々起こり、好ましくないショートが生じる。
【０００４】
共通な一個のメスコネクター中に挿入されるように設計された２個あるいはそれ以上の数のオス端子部が、バスバーの複数の導体片に設けられると、ここでも問題が屡々生じることになる。特に、各端子部がそれぞれに隣り合った複数の接点をなし、これらの接点が相手のコネクターの接点と正しく一致しなければならないような時には、問題は更に難しくなる。
【０００５】
従って、本発明の一目的は、上記した種類のコネクターへつながれて用いられる改良されたバスバーを提供することであり、バーのオス端子部を形成するために用いられる一対の導体片に極く近接してつけられる特別で新規な絶縁バリア体を採用するものである。
【０００６】
また、本発明の他の目的は、上記した種類のバスバーにおいて、他の回路のメスコネクターヘバスバーを接続するためのオス端子部を形成するために用いられた正と負のバスの端部間の絶縁性を補足するために考案された全体としてＵ字形状の絶縁バリア体を提供することにある。
【０００７】
更にまた、本発明の目的は、単一の共通コネクター中に挿入される複数のオス端子部を有する形式のバスバーにおいて、端子部の間隔をおいた接点を案内してコネクターの対応する接点と正しく係合せしめるように働く改良された絶縁バリア体を提供することにある。
本発明のその他の目的は、明細書と特許請求の範囲から、特にそれらを添付の図面を参照して読み進むと以下で更に明らかにされるところである。
【０００８】
【課題を解決するための手段】
積層バスバーは、少なくとも２個の金属製導体片を有し、この導体片の一方は他方より僅かに長くかつ幅広であるので、これらがその間に絶縁層をおいて互いに積層されると、一方の導体の先端縁部分が他方の導体の端縁を僅かに越えて伸展することになる。この場合に、２個の導体の一方は他方の導体の単一接点の端子部に合わさって重なる単一接点の端子部を有するか、或いは他方の導体の複数接点の端子部と合わさって重なる複数接点の端子部を有するかになるが、何れの場合にも重なり合った端子部は露出した外表面を有し、電気回路のメスソケットあるいはメスコネクター中に着脱自在に挿入されるオス端子部を形成する。
【０００９】
このような回路で、合わさって重ねられた単一接点の端子部がショートするのを避けるために、全体がＵ字形状の誘電体絶縁バリア体を、一方の端子部の端縁を越えて伸びる他方の端子部の先端縁部分に取りつける。複数接点の端子部の場合には、コネクター中に挿入される端子部の端部の上に誘電体絶縁バリア体が取りつけられ、このバリア体に設けられた互いに間隔をおいた突起が端子部の間隔をおいた接点の間に入り込むことになる。
【００１０】
【発明の実施の形態】
さて、引用符号により図面を参照して述べると、図示されるバスバーは２つの特定な形状の金属片あるいは導体を含み、これらは互いに重ね合わされ、それらの合わさって対面する面は既知の方法で誘電体の（図示されていない）中間層によって互いに絶縁されている。一方のこのような導体をプラス・アッセンブリーとし、その全体が符号１０で示され、他方（マイナス・アッセンブリー）は符号２０で示されている。この導体片１０，２０は全体として形状が同一であるが、片１０は片２０よりも（長く広く）大きい。片１０は細長な中央部１１を有し、この中央部は片２０の中央部２１の対応する面上にあって該中央部２１と一致し、これと絶縁されている。片１０，２０は、その一端（図１において左端）で直角に曲げられて、それぞれの中央部１１，２１に対して直角に伸びるオフセット部１２，２２が形成されている。複数の金属びょうＳが、片１０，２０の諸処につけられて突出しているが、これはバスバーの取り付け用であって、本発明の要素ではない。
【００１１】
オフセット部１２，２２に隣接して、片１０，２０の中央部１１．２１のそれぞれは、それぞれの一端と一体で水平に横方向に伸び、かつ互いに重なり合う関係にある横方向オフセット部１４，２４を有する。この部１４，２４はオフセット部１２，２２を越えて伸び、該部１２，２２を丁度越えたところで直角に曲げられて、それぞれの一端（図１，２において左端）にオフセット部１５，２５が形成されている。この部は横方向オフセット部１４，２４に対して直角に、片１０，２０のオフセット部１２，２２とは反対方向、即ち図１において下方に伸展する。片２０の両端の間の外表面とその両側端縁を覆って絶縁層２８（図２と３でその一部が破断されて示されている様に）がつけられ、この層は部２２，２５の途中まで伸展する。
【００１２】
導体の互いに重なり合う部１５，２５は露出した外表面を有し、これが片１０，２０の作動オス端子あるいはコネクター部分を形成し、バスバーの使用に当たってこれらの部分が、（図１で波線で仮想して示される）通常のメスコネクターあるいはソケットＲへ着脱自在に摺動して挿着される。このソケットは、バスバーが上記のようにして接続される電力供給回路の一部をなすものであるが、本発明の要素ではない。このような接続のために、部１５，２５の外表面、即ちソケットＲの導体と係合するその表面は、金やニッケル等でメッキされている。また、ソケットＲ中で部１５，２５の露出した端縁間で望ましくないショートが生じないように、例えばFIBERGLASの商品名で販売されている誘電体のガラス繊維でつくられた全体としてＵ字形状の絶縁バリア体３０が、部２５の端縁部分を超えて伸びる部１５の先端縁部分を覆うようにして着けられる。
【００１３】
例えば、図３にて示されるように、ソケットＲ中へ挿入される部１５の部分は、部２５の対向側端２５’を越えてほぼ同一距離で突出し、間隔をおいて互いに平行な端縁１５’を有する。また、図３と４で示されているように、部１５の外方端（部１４から遠い方の端）は、部２５の外方端を越えて僅かではあるが伸びている。Ｕ字形状のバリア体３０が着けられ、間隔を置いて互いに平行なその脚３１とその端部３２によって覆われるのは，部１５の上記した外部に露出する周側端縁１５’と外方端である。片１０と片２０とは同一の厚みであるが、バリア体３０に各導体１０，２０の厚みとほぼ同じな厚みを持たせて、図１で特によく示されているように、それが取付けられたときに部２５の端部のほぼ全体の部分を囲むようにする。
【００１４】
上述したところから明らかな通りに、全体としてＵ字形状のバリア体３０は、導体１０，２０の部１５，２５の端縁部分を互いに絶縁するための補完的で非常に有効な手段を提供するものであり、かつまた、部２５の本来は露出している側縁２５’と端縁を絶縁する手段を提供して、アッセンブリー１０のオス端子部が回路内のソケットに挿着あるいはソケットから引き抜かれる時に，不要なショートを防止する。更にまた、このバリア体３０を全体として形状がＵ字状のものとして図示し記述してきたが、所望の際には、バリア体の間隔を置いた互いに平行な２本の脚部３１を、バリア体の端部３２とは別なものとすることが出来るのは勿論であり、この場合には、図中の図４で示されると同様な形状を有する全体がＵ字形状バリア体を形成するために３個の別々な部分３１，３１、３２が用いられることになる。
【００１５】
改変例としては、図５にて示される如くに、バリア体３０’の２本の脚３１’と部分３２’を、同一の誘電体材料の薄い層３４で一体に連結してもよく、この層はバスバーをつくる積層時にアッセンブリーの重なり合う部１５，２５の間に置かれることになる。最終的にコネクターにつけられた時には、このバリア体３０’は、その対向する平行な脚あるいは側部３１’と横方向に伸びる端部３２’とを、部２５の対向側端２５’と端縁に対して固定し、かつ部２５の対応する端縁を覆いこれを越えて伸びる部１５の端縁部に対して固定され、この端縁部を覆うことになる。
【００１６】
次に、図６乃至図１２に示される別の実施例について説明するが、引用符号４０は、積層バスバーの複接点型ターミナルを全体として指す。このターミナルは、細長で矩形な形状で中央に位置する絶縁材の一層を含み、この絶縁層の一面には図６で図示されるように、符号４３で指示される６個のほぼ同一の細長くて幅狭で互いに平行な導体と、３個のほぼ同一で幅広で互いに平行な導体４４がつけられている。層４２の反対側面には、他側面の導体４３と合わされて一致する６個のほぼ似通った幅狭な導体４３’と、他側面の導体４４と同一でこれと対応する３個の全体として似通った矩形状導体４４’とからなる細長で間隔をおいて平行な導体の第２の同様な群が取り付けられている。前記した導体の２つの群４３，４４と４３’、４４’の全長並びにこの２つの群の導体の間に置かれた絶縁の中央層４２よりも僅かに短い絶縁性の２つの外方対応層４５，４６の間で，上記の導体の２つの群は層４２の両面へ積層されている。
【００１７】
そして、図６と図７で図示される通り、導体４３，４３と４３’、４４’が外方絶縁層の端４５’、４６’を越えて伸展するのよりも更に長く、中央絶縁層４２は導体４５，４６の対応する先端を越えて伸展する。外方絶縁層の先端４５’、４６’を越えて外方に伸びる導体４３，４４と４３’、４４’の部分は、従って露出されており、以下で説明する通りにメスコネクター中に挿入されるようになっている。金属製導体の露出した部分の外方あるいは端子端部を越えて伸展する絶縁層４２の部分には、該部分を貫通する一対の小さな丸穴が設けられているが、この穴の目的は以下で記述される通りである。
【００１８】
図６で示される通りに、層４２の右手端縁に最も接する幅狭な導体４３は外方の露出する端縁を有し、この端縁は層４２の対応する側縁と完全に一致し、かつその外方端に小さな矩形状の切欠き４８を有する。層４２の他方の側縁に沿って、最も外方の導体４４は、図６に示される通りに、露出した層４２の左手端縁と完全に一致する左手端縁を有し、この端縁はその外方端に小さな矩形状の切欠き４９を有する。
【００１９】
図７において、切欠き付き導体４３に対応する最外方の導体４３’もまたその外方端に矩形状の切欠き４８’を有するが、注目すべきことには、特別のこの導体４３’の外方の露出した端部は対応する導体４３よりも僅かに細くしてあるので、層４２の右手側縁が外方導体４３’の近接する側縁を越えて広がる。更にまた、図７にて図示される通りに、最外方の左手側の導体４４’は、第１群の導体中の対応する導体４４の先端よりも細くしたので、中央絶縁層４２がここでも最外方導体４４’の左手端縁を越えて僅かに外方に伸展する。
【００２０】
さて、図９を参照して、符号５０は、図１０と図１１に示される如くに層４２の対向側面に取り付けられた２つの同一の絶縁バリア体の一方を全体として示すものである。このバリア体５０のそれぞれは真っ直ぐで平らな下方端縁５１と、その上方端縁には６個の小さな矩形状の横方向で互いに間隔をおいた切欠きまたは窪み５３とを有し、この切欠きまたは窪みは導体４３，４３’の先端部を収容するものであり、一方、絶縁バリア体の反対の上方端縁に位置する３個の矩形状の大きな切欠き５４は、導体４４，４４’の露出した端子端部を収容するためのものである。各絶縁バリア体５０もまたその対向する端縁の近くにそれを貫通する一対の小さな丸穴５７を有しており、この穴は絶縁体５０が層４２に取り付けられた時に，該絶縁層４２の穴４７と一致して置かれる。
【００２１】
図９にても注目すべきことは、絶縁バリア体５０において第１の小さな切欠き５３の外方あるいは右端をなすバリア体５０の突出した部分（突起）５８は、他の切欠き５３の側壁をなすバリア体の部分より短く、また、バリア体の対向する左側において、バリア体の上方端縁の第１の切欠き５４の外方または左端をなす５０の突出した部分（突起）５９は、同様にその他の切欠き５４の側壁よりも短い。
【００２２】
このように各バリア絶縁体５０の両端部に短い突起５８，５９を設けた目的は、図１０にて示される通りに、導体４３，４４の露出した端子端を越えて突出する絶縁層４２の上面に、バリア絶縁体５０が取り付けられると、バリア体の突起部分５８が外方導体４３の切欠き４８中に入り、またバリア体の突起部分５９は最外方の導体４４の露出した端子端に形成された切欠き４９中に入って、それぞれ互いに係合することになる。
一方、図１１にて示される通り、導体４３’、４４’の外方端を覆うために、バリア絶縁体が中央絶縁層の反対の面上に取り付けられると、バリア体の部分５９は外方導体４４’の露出した端部の一側に沿ってこの端部の途中まで伸び、バリア体の部分５８は最外方の導体４３’の外方端縁に沿ってこの外方端縁の途中まで伸展し得ることになる。
【００２３】
【発明の効果】
図１ないし図５を参照して上で詳述した本発明の実施例におけるバスバーの新規な構成の効果については、既に述べた通りである。
従って、ここでは、図６ないし図１２を参照して述べた本発明の別の実施例の構成になるバスバーの効果についてのみ、以下に述べることとする。
【００２４】
絶縁バリア体５０が、２つの群の導体４３，４４と４３’、４４’の外方端子端部を覆うために層４２の両面上に付けられると、導体の端子端部を収容するバリア体の窪みの側壁面が、導体の好ましくない横方向への移動を防止して、複接点型ターミナル４０が、図１０にて破線にて仮想して示されるように通常のメスコネクターＣ中に着脱自在に挿入される際に、導体の露出した端子端部がよく案内され、コネクターＣの対応する導体と正しく係合できる。
【００２５】
２つの絶縁バリア体を使うことによって、ターミナル４０の２つの群の導体をコネクターＣの対応する導体へ正しく接続することができるばかりでなく、絶縁層４２の一面上の最外方導体４４，４３の露出した外方端縁は切欠き４８，４９を形成する先端縁を有してなるので、この先端縁は、ターミナルがコネクターＣ中へ挿入されるときの正確な案内ガイド面を提供することになる。また、絶縁バリア体の穴５７は、中央絶縁層４２の穴４７と一致するように設けられているので、所望の際には、ターミナル４０とそれに付けられたバリア体５０とよりなる組合せ体を、共通して一致する穴に通した手段によって芯合わせまたは締め付けることができる。
【００２６】
以上で、本発明を好適な数実施例によって図示し記述したが、本発明は更に改変できることは勿論であり、本発明は本技術に通暁する者にとって容易なまたは特許請求の範囲内に入る全ての改変例に及ぶことも勿論のことである。
【図面の簡単な説明】
【図１】本発明の一実施例になる改良バスバーとその端子部の絶縁体となるバリア体の平面図である。
【図２】図１のバスバーの正面図である。
【図３】図２のバスバーを左側よりみた側面図である。
【図４】図２をその４−４線に沿った断面で矢符方向に向かってみた側断面図である。
【図５】本発明のバーのオス端子部に使われる端子絶縁体となるバリア体の別の実施例の斜視図である。
【図６】本発明の別の実施例をなすバスバーとその複接点型ターミナルの一部の平面図である。
【図７】図６を裏返したバスバーの反対面の平面図である。
【図８】図６に示されるターミナルをその図中の下方端よりみた説明的な端面図である。
【図９】バスバーの両面上の各複接点型ターミナルの端子の端部を覆うようにする絶縁バリア体の平面図である。
【図１０】図６と同様な平面図であり、図９に示される種類の絶縁バリア体がバスバーの両面のそれぞれのターミナルの端子の端部を覆うようにしてつけられたところを図示しており、この図ではコネクターが仮想線で示されている。
【図１１】図７と同様な平面図であり、図９に示される種類の絶縁バリア体がバスバーの両面のそれぞれのターミナルの端子の端部を覆うようにしてつけられたところを図示している。
【図１２】絶縁バリア体がつけられたターミナルの説明的な端面図である。
【符号の説明】
１０，２０−導体片
１１，２１−各導体片の中央部
１２，２２−直角なオフセット部
１４，２４−横方向オフセット部
１５，２５−直角なオフセット部
２８−絶縁層
３０−Ｕ字形状の絶縁バリア体
Ｒ−メスコネクター
Ｓ−金属びょう
４０−複接点型ターミナル
４２−絶縁層
４３，４４−絶縁層の一面上の導体
４３’，４４’−絶縁層の他面上の導体
４５，４６−外方絶縁層
５０−絶縁兼案内ガイドバリア体
Ｃ−メスコネクター
【図１】
0004496457.tif 000002
【図２】
0004496457.tif 000003
【図３】
0004496457.tif 000004
【図４】
0004496457.tif 000005
【図５】
0004496457.tif 000006
【図６】
0004496457.tif 000007
【図７】
0004496457.tif 000008
【図８】
0004496457.tif 000009
【図９】
0004496457.tif 000010
【図１０】
0004496457.tif 000011
【図１１】
0004496457.tif 000012
【図１２】
0004496457.tif 000013